(57)【特許請求の範囲】
【請求項１】
濾過用袋体と、上下が開口するように前後両面の左右両端が相互に連結された状態で前記濾過用袋体が内部に固定される折畳み可能な支持用紙体とからなり、当該濾過用袋体の内部に被抽出成分を有する内容物を直に収納するためのドリッパーにおいて、
該支持用紙体は、前後両面に渡って左右両側に設けた一対の支持用脚片と、
左右両側縁を逆ハの字状になす一対の折曲部と、
該折曲部をそれぞれ分断する一対の切欠部とを備え、
前記支持用脚片は、前記支持用紙体の前後両面の下縁までそれぞれ延在する一対の切目と、前記切欠部の両側縁から斜め上方に向かって前記切目の上端まで延在する一対の谷折り線とを有することを特徴とする、ドリッパー。
【請求項２】
前記支持用脚片は、一対の差込用開口部と、差込用スリットとからなる差込部を有することを特徴とする、請求項１に記載のドリッパー。
【請求項３】
前記支持用脚片は、下端中央に設けられた差込用突片と、該差込用突片から両側にそれぞれ間隔をあけて前後両端に設けられた一対の外側突片とからなる差込部を有することを特徴とする、請求項１に記載のドリッパー。
【発明の詳細な説明】
【技術分野】
【０００１】
本発明は、飲料を抽出するためにカップ等の容器に載置されるドリッパーに関する。
【背景技術】
【０００２】
従来から、コーヒー等の飲料を簡便に抽出するものとして、濾過用の袋体を厚手の紙体に固定して支持する使い捨てのドリッパーが利用されている。例えば、特許文献１では、展開した矩形状支持体の蓋部を除去してから濾過袋を開封し、矩形状支持体の左右両側の一定領域を折り曲げて支持脚片とした状態でカップ等の容器に載置するコーヒー用の濾過器が開示されている。また、特許文献２では、ドリッパーの前後両面の上縁中央をそれぞれ指で掴んで外側に引っ張って袋体を開封し、筒状紙体の左右両側にある折込部を内方に折り込んで筒状紙体を変形させることで、袋体を開口状態にすることができるドリッパーが開示されている。
【先行技術文献】
【特許文献】
【０００３】
【特許文献１】特公昭６３−５２８８８号公報
【特許文献２】特開２００８−２４５８９４号公報
【発明の概要】
【発明が解決しようとする課題】
【０００４】
しかしながら、上記特許文献１の濾過器では、容器に載置する前に、支持体の展開、蓋部の除去、濾過袋の開封、支持脚の形成という複数の手順を経ることが必要なため、組立てが簡便でないという問題がある。一方、上記特許文献２のドリッパーでは、簡易に組み立てることが実現されているものの、筒状紙体の変形が小さく前後方向へ大きく膨出することがないため、袋体が十分に開口せず、熱湯の注ぎ入れが困難であるという問題がある。また、上記特許文献２のドリッパーを容器へ載置するには、係合フラップを容器の上縁部分に沿わせることになるが、上記特許文献２に開示された構成では、その位置を容器のサイズに対応させて変更することができないため、容器のサイズによっては、係合フラップを上縁部分に沿わせることができず、載置状態時にドリッパーが容器の上で動いてしまうという問題がある。
【０００５】
そこで、本発明は、熱湯の注ぎ入れに十分な開口を形成するとともに、容器の大きさが異なっても、載置状態時における安定性を確保することができる組立て容易なドリッパーを提供することを課題とする。
【課題を解決するための手段】
【０００６】
かかる課題を解決するための手段として、本発明は、濾過用袋体と、上下が開口するように前後両面の左右両端が相互に連結された状態で前記濾過用袋体が内部に固定される折畳み可能な支持用紙体とからなり、当該濾過用袋体の内部に被抽出成分を有する内容物を直に収納するためのドリッパーにおいて、該支持用紙体は、前後両面に渡って左右両側に設けた一対の支持用脚片と、左右両側縁を逆ハの字状になす一対の折曲部と、該折曲部をそれぞれ分断する一対の切欠部とを備え、前記支持用脚片は、前記支持用紙体の前後両面の下縁までそれぞれ延在する一対の切目と、前記切欠部の両側縁から斜め上方に向かって前記切目の上端まで延在する一対の谷折り線とを有する。
【０００７】
前記支持用脚片は、一対の差込用開口部と、差込用スリットとからなる差込部を有するのが好ましい。
【０００８】
前記支持用脚片は、下端中央に設けられた差込用突片と、該差込用突片から両側にそれぞれ間隔をあけて前後両端に設けられた一対の外側突片とからなる差込部を有するのが好ましい。
【発明の効果】
【０００９】
本発明によれば、使用の際の組立てが容易なだけでなく、上部領域が大きく変形して濾過用袋体を十分に開口させ、熱湯の注ぎ入れを容易にすることができる。また、変形した支持用紙体の漏斗状の美感を損なわずに、支持用紙体の左右一対の支持用脚片のみをそれぞれ外方へ広げ、容器の上縁の大きさに対応するようにその下端を移動せせることができ、ドリッパーを安定した状態で容器に載置することが可能である。
【図面の簡単な説明】
【００１０】
【図１】（ａ）は、本発明の第１実施形態に係るドリッパーの正面図であり、（ｂ）は、その背面図である。
【図２】図１のドリッパーを構成する濾過用袋体の展開図である。
【図３】図１のドリッパーを構成する濾過用袋体の正面図である。
【図４】図３に示す濾過用袋体のＩＶ−ＩＶ線断面図である。
【図５】図１のドリッパーを構成する支持用紙体の展開図である。
【図６】図１のドリッパーを容器に載置した状態の斜視図である。
【図７】（ａ）は、本発明の第２実施形態に係るドリッパーの正面図であり、（ｂ）は、その背面図である。
【図８】図７のドリッパーを構成する支持用紙体の展開図である。
【図９】図７のドリッパーを容器に載置した状態の斜視図である。
【発明を実施するための形態】
【００１１】
以下、本発明に係るドリッパーについて、添付の図面を参照しながら説明することとする。
【００１２】
図１は、本発明の第１実施形態に係るドリッパー１を示している。ドリッパー１は、図１に示すように、濾過用袋体２と、支持用紙体３とからなり、図６に示すように、カップ２０等に載置されるものである。
【００１３】
図２〜図４は、本実施形態に使用される濾過用袋体２を示している。濾過用袋体２は、図１に示すように、支持用紙体３の内側に差し込まれた状態で支持用紙体３に固定され、コーヒー粉末等の内容物（不図示）を収納及び封入するとともに、飲料を抽出・濾過するものである。濾過用袋体２に使用される素材としては、濾過機能を果たすものであれば特に限定されるものではないが、加工のしやすさ等を考慮すれば、熱接着性のあるものが好ましく、例えば、最内層に変性ポリプロピレンを含有した三層構造の濾紙が挙げられる。濾過用袋体２は、例えば、図２に示すように、濾過用袋体２の上縁を構成する長辺側の弧状縁部の中央が突出した対称形状の一対の台形状領域４，４’と、該一対の台形状領域４，４’を短辺側で連結する横長な六角形状領域５とに区画された形状で断裁、打ち抜き等される。
【００１４】
濾過用袋体２は、左右シール部６ａ，６ｂと、封止シール部７と、一対の固定用突片８，８’とを有する。左右シール部６ａ，６ｂは、六角形状領域５でＷ折り（ガゼット折り）にすることで対向する一対の台形状領域４，４’の左右両端の内面同士を接着して、濾過用袋体２を袋状に構成する。封止シール部７は、弧状縁部より下方の所定位置で一対の台形状領域の内面同士を接着し、内容物を濾過用袋体２の内部に封入する。一対の固定用突片８，８’は、濾過用袋体２の前後両面の上縁中央より突出する。一対の固定用突片８，８’は、後述の支持用紙体３の前後両面の上縁にそれぞれ当接させてから折り返され、前後両面の外面側に貼着される。
【００１５】
図５は、本実施形態に使用される支持用紙体３の展開状態を示している。支持用紙体３は、図６に示すように、カップ２０等に載置された時、濾過用袋体２を支持する。支持用紙体３に使用される素材としては、容器に載置された状態で濾過用袋体２を支持するのに十分な剛性を有するものであれば特に限定されるものではないが、熱湯や湯気に対する耐性を考慮すれば、濾過用袋体２と当接する内面又は両面にポリエチレン等の樹脂を塗布した厚紙が使用されるのが好ましい。支持用紙体３に使用される厚紙は、図５に示すように、略扇状の前面領域９と、傾斜した前面領域９の一方の側端に連結されて略扇状の後面右側部分を構成する後面右側領域１０ａと、前面領域９の他方の側端に連結されて略扇状の後面左側部分を構成する後面左側領域１０ｂと、後面右側領域１０ａの他方の側端に連結された横長台形状の糊代フラップ１１とに区画された形状で断裁、打ち抜き等される。前記厚紙は、後面左側領域１０ｂの下に糊代フラップ１１を重ね合わせて接着され、支持用紙体３を構成する。
【００１６】
支持用紙体３は、前後両面が略扇状に構成され、一対の支持用脚片１２ａ，１２ｂと、一対の折曲部１３ａ，１３ｂと、折曲部１３ａ，１３ｂをそれぞれ分断する偏平楕円状の一対の切欠部１４ａ，１４ｂとを備える。
【００１７】
支持用脚片１２ａ，１２ｂは、支持用紙体３の左右両側に設けられ、下方中央へ向かって斜め下方向に延在する。支持用脚片１２ａ，１２ｂは、一対の切目１５ａ及び１５ａ’，１５ｂ及び１５ｂ’と、一対の谷折り線１６ａ及び１６ａ’，１６ｂ及び１６ｂ’とを有する。左側支持用脚片１２ａの一対の切目１５ａ及び１５ａ’は、支持用紙体３の前後両面に形成され、切欠部１４ａの斜め上側から支持用紙体３の下縁まで、折曲部１３ａと平行に延在し、右側支持用脚片１２ｂの一対の切目１５ｂ及び１５ｂ’は、支持用紙体３の前後両面に形成され、切欠部１４ｂの斜め上側から支持用紙体３の下縁まで、折曲部１３ｂと平行に延在する。左側支持用脚片１２ａの谷折り線の一方１６ａは、切欠部１４ａから上方に向かって切目１４ａの上端まで延在し、その他方の谷折り線１６ａ’は、切欠部１４ａから上方に向かって切目１４ａ’の上端まで延在する。同様に、右側支持用脚片１１ｂの谷折り線の一方１６ｂは、切欠部１４ｂから上方に向かって切目１４ｂの上端まで延在し、その他方の谷折り線１６ｂ’は、切欠部１４ｂから上方に向かって切目１４ｂ’の上端まで延在する。
【００１８】
支持用脚片１２ａ，１２ｂは、差込部１７ａ，１７ｂを有する。差込部１７ａ，１７ｂは、一対の差込用開口部１８ａ及び１８ａ’，１８ｂ及び１８ｂ’と、差込用スリット１９ａ，１９ｂとからなる。一対の差込用開口部１８ａ及び１８ａ’，１８ｂ及び１８ｂ’は、それぞれ略台形状に構成され、長辺を対向させて鋭角状の角部を支持用脚片１２ａ，１２ｂの下縁に向けて左右対称に形成される。差込用スリット１９ａ，１９ｂは、一対の差込用開口部１８ａ及び１８ａ’，１８ｂ及び１８ｂ’の鋭角状の角部の間を直線状に延在し、一対の差込用開口部１８ａ及び１８ａ’，１８ｂ及び１８ｂ’を相互に連結する。
【００１９】
一対の折曲部１３ａ，１３ｂは、前記厚紙の前面領域９と後面左側領域１０ａの境界を折曲する山折り線と、前面領域９と後面左側領域１０ｂの境界を折曲する山折り線とからなり、使用前において、ドリッパー１を平坦状に構成する。一対の折曲部１３ａ，１３ｂは、支持用紙体３の左右両側縁を逆ハの字状になす。
【００２０】
次に、本実施形態に係るドリッパー１の使用方法とその作用について説明することとする。
【００２１】
まず、ドリッパー１の前後両面の上縁中央をそれぞれ指で掴んで外側に引っ張り、封止シール部７を剥離して、濾過用袋体２を開封する。次に、支持用脚片１２ａ，１２ｂを把持して展開する。
【００２２】
支持用脚片１２ａ，１２ｂの展開に伴って、支持用脚片１２ａ，１２ｂを除く領域が膨出して、支持用紙体３が上方に向かうに従って拡開するような漏斗状に変形する。このように変形した支持用紙体３は、濾過用袋体２を大きく開口させ、その状態を維持し、以上でドリッパー１の組立が完了する。このように、使用者は、比較的簡易な手順でドリッパー１の組立作業を完了することが可能である。
【００２３】
支持用脚片１２ａ，１２ｂとそれ以外の領域は、切欠部１４ａ，１４ｂや一対の切目１５ａ及び１５ａ’，１５ｂ及び１５ｂ’によって部分的に分断されている。このため、ドリッパー１は一旦変形すると、支持用紙体３の前後両面を同時に内側へ押したとしても、変形状態を偶発的に解除するような力として、支持用脚片１２ａ，１２ｂに伝達することはない。
【００２４】
上述した組立てが完了すれば、次に、差込用スリット１９ａ，１９ｂに指を差し込んで支持用脚片１２ａ，１２ｂの下端を外方へずらしながら支持用脚片１２ａ，１２ｂを把持し、図６に示すように、差込部１９，１９’をカップ２０の縁に差し込んで、ドリッパー１をカップ２０上に載置する。カップ２０への載置の際、一対の支持用脚片１２ａ，１２ｂは、一対の切目１５ａ及び１５ａ’，１５ｂ及び１５ｂ’を介して外方に広げることが可能であるため、大きさの異なる種々のカップ２０の縁に対応させて差込部１９，１９’を差し込み、漏斗状に変形した支持用脚片１２ａ，１２ｂ以外の領域の美感を損なわずにドリッパー１をカップ２０へ載置することができる。
【００２５】
カップ２０への載置が完了すれば、開口した濾過用袋体２へ所望量の熱湯を注ぎ、抽出液をカップ２０内へ流下させることで適量のコーヒーを生成する。熱湯の注ぎ入れに際しては、濾過用袋体２は大きく開口しているため、熱湯を容易に注ぎ入れることが可能である。
【００２６】
図７は、本発明の第２実施形態に係るドリッパー１を示している。本実施形態に係るドリッパー１は、支持用脚片１２ａ，１２ｂの差込部１７ａ，１７ｂの構成が異なる点を除き、上記第１実施形態と同様であるため、同一部分については同一の参照符号を付して説明を省略することとする。
【００２７】
本実施形態では、図８に示すように、支持用脚片１２ａ，１２ｂの差込部１７ａ，１７ｂは、差込用突片２１ａ，２１ｂと、一対の外側突片２２ａ及び２２ａ’，２２ｂ及び２２ｂ’と、それらの間に形成された一対の凹部２３ａ及び２３ａ’，２３ｂ及び２３ｂ’とからなる。差込用突片２１ａ，２１ｂは、略半円形状に構成され、支持用脚片１２ａ，１２ｂの下端中央に設けられる。一対の外側突片２２ａ，２２ａ’及び２２ｂ，２２ｂ’は、略矩形状の対称形状に構成され、差込用突片２１ａ，２１ｂから両側にそれぞれ間隔をあけて支持用脚片１２ａ，１２ｂの前後両端にそれぞれ設けられる。
【００２８】
本実施形態に係るドリッパー１をカップ２０に載置する場合、図９に示すように、外側突片２２ａ，２２ａ’及び２２ｂ，２２ｂ’がカップ２０の外側に位置するようにしながら、差込用突片２１ａ，２１ｂをカップ２０の開口部内にそれぞれ差し込んで、カップにドリッパー１を載置する。なお、本実施形態は、第１実施形態のものに比べ、ドリッパー１のカップ２０への載置がより簡単となり、載置された状態もより安定する点で、第１実施形態の構成よりも好ましい。この点を除き、使用方法及びその作用は上記第１実施形態と同様であるため、その他の説明については省略することとする。
【符号の説明】
【００２９】
１  ドリッパー
２  濾過用袋体
３  支持用紙体
４，４’  台形状領域
５  六角形状領域
６ａ，６ｂ  左右シール部
７  封止シール部
８，８’  固定用突片
９  前面領域
１０ａ  後面右側領域
１０ｂ  後面左側領域
１１  糊代フラップ
１２ａ，１２ｂ  支持用脚片
１３ａ，１３ｂ  折曲部
１４ａ，１４ｂ  切欠部
１５ａ，１５ａ’，１５ｂ，１５ｂ’  切目
１６ａ，１６ａ’，１６ｂ，１６ｂ’  谷折り線
１７ａ，１７ｂ  差込部
１８ａ，１８ａ’，１８ｂ，１８ｂ’  差込用開口部
１９ａ，１９ｂ  差込用スリット
２０  カップ
２１ａ，２１ｂ  差込用突片
２２ａ，２２ａ’ ，２２ｂ，２２ｂ’  外側突片
２３ａ，２３ａ’ ，２３ｂ，２３ｂ’  凹部
【図１】
0005862169.tif 000002
【図２】
0005862169.tif 000003
【図３】
0005862169.tif 000004
【図４】
0005862169.tif 000005
【図５】
0005862169.tif 000006
【図６】
0005862169.tif 000007
【図７】
0005862169.tif 000008
【図８】
0005862169.tif 000009
【図９】
0005862169.tif 000010